Podtech/llm-jp-corpus-v4-ja_patent huggingface dataset:
(57)【要約】【課題】  受信側の出力禁止期間にメモリフルになった場合でも無駄な発呼を抑え、確実に送信することができるファクシミリ装置を提供する。【解決手段】  特定期間の出力禁止設定とＳＩＰをサポートするファクシミリ装置において、出力禁止期間にメモリフルになった場合は出力許可になる時間を相手側に通知する制御を行う制御手段２を備えた。【選択図】        図１
2005236438.tif 000002
【特許請求の範囲】
【請求項１】
特定期間の出力禁止設定とＳＩＰをサポートするファクシミリ装置において、該ファクシミリ装置が受信動作を開始して出力禁止期間中にメモリフルになった場合、出力許可になる時間を送信側に通知する制御を行う制御手段を備えたことを特徴とするファクシミリ装置。
【請求項２】
ＳＩＰをサポートするファクシミリ装置において、該ファクシミリ装置が送信動作を開始して受信側と接続できない場合、前記受信側から通知された出力許可時間まで待機後、再発呼する制御を行う制御手段を備えたことを特徴とするファクシミリ装置。
【発明の詳細な説明】
【技術分野】
【０００１】
本発明は、ＩＰファクシミリ装置のプロトコルに関する。
【背景技術】
【０００２】
消費電力を抑えたり、セキュリティのために、夜間・休日などの特定の期間に受信したファクシミリ文書を受信時に出力せず、出力許可期間になった時点で出力するファクシミリ装置として、例えば特許文献１がある。
【特許文献１】特開２００３−６９７５５公報
【発明の開示】
【発明が解決しようとする課題】
【０００３】
しかし、出力禁止期間中に受信機のメモリがいっぱいになった場合に、送信側は無駄な再発呼を繰り返し、再発呼回数を超えてしまうと不達になってしまい受信機側に届かないという問題が起こる。
本発明は、受信側の出力禁止期間にメモリフルになった場合でも無駄な発呼を抑え、確実に送信することができるファクシミリ装置を提供することを目的とする。
【課題を解決するための手段】
【０００４】
上記目的を達成するために、請求項１記載の発明は、特定期間の出力禁止設定とＳＩＰをサポートするファクシミリ装置において、該ファクシミリ装置が受信動作を開始して出力禁止期間中にメモリフルになった場合、出力許可になる時間を送信側に通知する制御を行う制御手段を備えたことを特徴とする。
請求項２記載の発明は、ＳＩＰをサポートするファクシミリ装置において、該ファクシミリ装置が送信動作を開始して受信側と接続できない場合、前記受信側から通知された出力許可時間まで待機後、再発呼する制御を行う制御手段を備えたことを特徴とする。
【発明の効果】
【０００５】
本発明によれば、特定期間の出力禁止設定とＳＩＰをサポートするファクシミリ装置において、出力禁止期間にメモリフルになった場合は出力許可になる時間を相手側に通知する制御を行う制御手段を備え、あるいはＳＩＰをサポートするファクシミリ装置において、発呼先と接続できない時に着側から通知された都合のいい時間まで発呼待機する制御を行う制御手段を備えたので、所期の目的を達成することができる。
【発明を実施するための最良の形態】
【０００６】
以下、本発明の実施の形態を図面に従って説明する。
図１は本発明の実施形態に係るファクシミリ装置の機能ブロック図である。本ファクシミリ装置は、読取部（スキャナ）１、制御部２、書込部（プロッタ）３、操作表示部４、不揮発メモリ５（アドレス帳・画情報ファイルはここに記憶する。ハードディクスなどでもよい）、メモリ６、画情報圧縮再生部（ＤＣＲ）７、通信制御部（ＣＣＵ）８、ＬＡＮ制御部９（ＳＩＰ、Ｔ．３８などの通信プロトコル制御を行う）を備える。
ＩＰファクス送信に際して、スキャナ１より読み取られた送信原稿は、操作表示部４より入力された送信先とともに不揮発メモリ５に蓄積、記憶される。記憶されている原稿は、ＬＡＮ制御部９において、ＲＦＣ３２６１で規定されているＳＩＰ（Session Initiation Protocol）により呼接続され、ＤＣＲ７で変換され、ＩＴＵ−Ｔ  Ｔ．３８方式で送信される。
ＩＰファクス受信に際して、ＬＡＮ制御部９がＳＩＰに夜着呼を待ち受ける。呼が接続した後は、ＩＴＵ−Ｔ  Ｔ．３８方式で送信されてきた画像を不揮発メモリ５に蓄積し、ＤＣＲ７で伸長し、プロッタ３で印字する。
【０００７】
図２は本発明のファクシミリ装置におけるＩＰファクス受信時の動作フロー図である。
Ｓ２００でフローが開始され、Ｓ２０１で現在が出力禁止設定されている時間ならＳ２０２へ、そうでないならＳ２０７へ進む。Ｓ２０２では、現在、不揮発メモリ５がメモリフル状態ならＳ２０３へ進み、そうでないならＳ２０４へ進む。Ｓ２０３では、ＳＩＰの応答で着呼不可の応答（480 Temporarily Unavailable）を返す（図４参照）。この時、Retry-Afterヘッダーフィールドに出力可能時間までの秒数を設定する。
次にＳ２０４では、Ｔ．３８方式で受信し、不揮発メモリ５に蓄積する。Ｓ２０５で出力可能時間になるまで待機する。Ｓ２０６で不揮発メモリ５から画像を読み出し、ＤＣＲ７で伸長し、プロッタ３で印字する。前述の通り、現在が出力禁止設定されている時間でなければ、Ｓ２０７でＴ．３８方式で受信し、不揮発メモリ５に蓄積してＳ２０６で不揮発メモリ５から画像を読み出し、ＤＣＲ７で伸長し、プロッタ３で印字して、Ｓ２０８で本フローが終了する。
図３は本発明のファクシミリ装置におけるＩＰファクス送信時の動作フロー図である。Ｓ３００でフローが開始され、Ｓ３０１でＳＩＰにより発呼する（ＩＮＶＩＴＥを出す）。Ｓ３０２において、接続できた場合（２００  ＯＫ）の場合は、３０５へ、接続できなかった場合（480 Temporarily Unavailable）は（図４参照）、Ｓ３０３へ進む。Ｓ３０３において、（480 Temporarily Unavailable）のRetry-Afterヘッダーフィールドに設定されている秒数待機する。Ｓ３０４で再発呼する。Ｓ３０５で不揮発メモリ５から画像を読み出し、Ｔ．３８方式で送信する。
図４に接続失敗した場合のＳＩＰプロトコル例を示す。
【図面の簡単な説明】
【０００８】
【図１】本発明の実施形態に係るファクシミリ装置の機能ブロック図。
【図２】本発明のファクシミリ装置におけるＩＰファクス受信時の動作フロー図。
【図３】本発明のファクシミリ装置におけるＩＰファクス送信時の動作フロー図。
【図４】接続失敗した場合のＳＩＰプロトコル例を示す図。
【符号の説明】
【０００９】
１  読取部（スキャナ）
２  制御部（制御手段）
３  書込部（プロッタ）
４  操作表示部
５  不揮発メモリ
６  メモリ
７  画情報圧縮再生部（ＤＣＲ）
８  通信制御部（ＣＣＵ）
９  ＬＡＮ制御部
【図１】
2005236438.tif 000003
【図２】
2005236438.tif 000004
【図３】
2005236438.tif 000005
【図４】
2005236438.tif 000006
(57)【要約】【課題】低温時に運転が停止しない使い勝手のよい電気掃除機を提供すること。【解決手段】電動送風機に電力を供給する２次電池と、２次電池の温度を検出する電池温度検出手段と、電動送風機の運転動作を制御する制御手段とを有する電気掃除機において、制御手段は電池温度検出手段の信号に基づいて電動送風機に流れる電流を制御することを特徴とする。【選択図】図１
2005131110.tif 000002
【特許請求の範囲】
【請求項１】
本体に内蔵され、吸引力を発生する電動送風機と、前記電動送風機に電力を供給する２次電池と、前記２次電池の温度を検出する電池温度検出手段と、前記電動送風機の運転動作を制御する制御手段とを有する電気掃除機において、前記制御手段は前記電池温度検出手段の信号に基づいて前記電動送風機に流れる電流を制御することを特徴とする電気掃除機。
【請求項２】
２次電池の温度が所定以下の時は電動送風機に流れる電流を低下させることを特徴とする請求項１に記載の電気掃除機。
【請求項３】
請求項１に記載の電気掃除機にあって、
前記２次電池９の自己発熱にともなに前記電池温度検出手段の検知温度が所定値よりも上昇したときには、前記制御手段が前記電動送風機に流れる電流を増加させるように制御することを特徴とする電気掃除機。
【発明の詳細な説明】
【技術分野】
【０００１】
本発明は、２次電池を電源とする電気掃除機に関する。
【背景技術】
【０００２】
近年、２次電池を電源とする電気掃除機においては、単位体積当たりの容量の大きいＮｉ−ＭＨ電池（ニッケル水素電池）を用いたものが数多く使用されるようになってきた。Ｎｉ−ＭＨ電池は過放電により劣化が起こりやすい性質を持つため、電池の電圧が１セル当たり１Ｖ程度まで低下すると、強制的に電気掃除機を停止させる機能を有するものが一般的になっている。これはＮｉ−ｃｄ電池（ニッケルカドミウム電池）においても同様である。
【発明の開示】
【発明が解決しようとする課題】
【０００３】
Ｎｉ−ＭＨ電池は低温になると内部抵抗が増加する性質を持つ。このため、低温時に電動送風機に大電流を流すことにより電池電圧が大きく降下してしまい、これを電池の過放電と判断し、電気掃除機を停止させてしまうことがある。
【０００４】
本発明はこのような課題を解決し、使い勝手のよい電気掃除機を提供することを目的としている。
【課題を解決するための手段】
【０００５】
前記課題を解決するための本発明の電気掃除機は、本体に内蔵され、吸引力を発生する電動送風機と、前記電動送風機に電力を供給する２次電池と、前記２次電池の温度を検出する電池温度検出手段と、前記電動送風機の運転動作を制御する制御手段とを有し、前記制御手段は前記電池温度検出手段の信号に基づいて、２次電池の温度が所定以下の時は前記電動送風機に流れる電流を低下させるものである。これによって、電池が低温の場合であっても、電池電圧降下による電気掃除機の運転停止がなく、使い勝手の向上を図ることができる。
【発明の効果】
【０００６】
本発明によれば、２次電池が低温の場合であっても、運転が停止することがなく、使い勝手の向上を図ることができる。
【発明を実施するための最良の形態】
【０００７】
図１は本発明実施例の電気掃除機の構成概略図である。電気掃除機本体１には集塵室５と、吸引力を発生させる電動送風機７と、電動送風機７の電源である２次電池９と、電気掃除機１の運転を制御する制御回路８が設けられている。電動送風機７はケース１１に覆われ、防振ゴム１２、１３により支持されている。
【０００８】
制御回路８は操作部１０の入力に従い電動送風機７を駆動し、吸引力を発生させる。このとき、延長管３とホース２を介して掃除機本体１に接続されている吸口体４より、塵埃を含んだ空気が集塵室５へ送られ、集塵室５ではその塵埃が除去される。塵埃が除去された空気は電動送風機７、ケース１１、制御回路８を通り抜け、電気掃除機本体１から排出される。
【０００９】
操作部１０で入力される運転モードは、電気掃除機本体１の強運転、中運転、弱運転および運転停止である。各モードでの電動送風機７に流れる電流は、強運転時が２０Ａ、中運転時が８Ａ、弱運転時が４Ａ、運転停止が０Ａである。
【００１０】
図２は制御回路８のブロック図である。マイコン２０は電池電圧検出部２１において、２次電池の電圧が１セル当たり１Ｖ以下の場合は、電池が過放電とみなし、電動送風機７の駆動を停止させる。
【００１１】
図３は２次電池９が満充電のときの放電特性を示す。電池温度が低下するほど、電池１セル当たりの電圧が降下する。
【００１２】
例えば、電池温度０℃において強運転を行おうとした場合、２次電池９の１セル当たりの電圧は０．９Ｖとなり、これをマイコン２０が電池電圧検出部２１より検出し、電池が満充電であるにも関わらず電動送風機７の駆動を停止させてしまう。動作を停止させることなく強運転を行うには、電池温度が５℃以上である必要があり、電池温度が０〜５℃の場合は、中運転若しくは弱運転のみが可能であることが、図３より読み取れる。
【００１３】
上記のような２次電池９低温時の運転停止を避けるため、マイコン２０は電池温度検出部（電池温度検出手段）２２より電池温度を検出し、電池温度が０〜５℃以下の場合は、使用者が操作部１０より強運転の入力をしても、制御回路（制御手段）８は中運転となるよう電動送風機７を駆動する。
【００１４】
２次電池９には内部抵抗があるため、２次電池９が５℃以下の場合でも中運転を継続していれば、２次電池９の自己発熱により、次第に２次電池９の温度が所定値（５℃）より上昇し、強運転が可能な温度になる。制御回路８が電池温度検出部２１より５℃以上であることを検出すると、強運転への復帰を行う。この強運転への復帰は制御回路８が自動的に行わずに、操作部１０からの入力によって行うものでもよい。
【００１５】
このように、２次電池が５℃以下の低温時に、放強運転時（２０Ａ）を選んでも、放電終止電圧以下にならないように電動送風機７に供給する電流を制御回路８で制限するようにしたので、２次電池の性能／寿命の低下を防止することもできた。
【図面の簡単な説明】
【００１６】
【図１】本発明実施形態に係わる電気掃除機の構成概略図。
【図２】本発明実施形態に係わる制御回路８のブロック図。
【図３】本発明実施形態に係わる２次電池の放電特性。
【符号の説明】
【００１７】
１…電気掃除機本体、７…電動送風機、８…制御回路（制御手段）、９…二次電池、２２…電池温度検出部（電池温度検出手段）。
【図１】
2005131110.tif 000003
【図２】
2005131110.tif 000004
【図３】
2005131110.tif 000005
(57)【要約】【課題】  マッサージをして血流量が高くなっても、高濃度の酸素を体に供給できていない。またサービスを受けるにも時間がかかっていた。【解決手段】    酸素を高濃度に含んだ空気を送りながらマッサージをする。  個人認証やプリペイドカードを使うことにより上記サービスを簡易に受けられる。【選択図】図１
2005131148.tif 000002
【特許請求の範囲】
【請求項１】
酸素を高濃度に含んだ空気を人体に送りその際にマッサージをすることにより、マッサージ効果を高める手法
【請求項２】
酸素を高濃度に含んだ空気をフードに送り、フード内の空気を排出する装置とマッサージ装置に構成される酸素マッサージ装置
【請求項３】
請求項２に個人認証装置またはプリペイドカード装置を追加した装置
【発明の詳細な説明】
【技術分野】
【０００１】
本発明はリラクゼーション機器であり、酸素を高濃度に含んだ空気を吸いながらマッサージをすることにより、マッサージ効果を高める機器である。
【背景技術】
【０００２】
マッサージ機器があるが、物理的に体をほぐすだけだった。
【発明の開示】
【発明が解決しようとする課題】
【０００３】
血中の酸素濃度を高めて、マッサージによって血流量を増やし、体中に酸素を十分行き渡らせる。
【０００４】
簡単に上記サービスを受けられるようにする。
【課題を解決するための手段】
【０００５】
酸素を高濃度に含んだ空気を送りながらマッサージをする。
【０００６】
個人認証やプリペイドカードを使うことにより上記サービスを簡易に受けられる。
【発明の効果】
【０００７】
本発明により、マッサージ効果が高まる。
【発明を実施するための最良の形態】
【０００８】
以下、本発明を図１に示した実施形態を用いて説明する。
フード１に高濃度酸素空気管２が接続されており、フード1内に高濃度酸素空気が供給される。
フード１に排気管３が接続されており、人間が呼吸したあとの低濃度酸素空気を排出する。
フード１はマッサージ時には人間の頭部を覆うようになっており、マッサージ器に座るときには、フードは座りやすいように上がっている。
個人認証装置またはプリペイドカード装置５がフード１およびマッサージ器４に接続されており、マッサージ器に座った人の支払いが確認できると任意の時間作動する。
【産業上の利用可能性】
【０００９】
現在、マッサージ機器は多数、販売されている。本発明により、さらにマッサージ効果が高まり、機器の販売の数量が多くなると期待できる。
【図面の簡単な説明】
【００１０】
【図１】本発明の実施例の構成図である。
【符号の説明】
【００１１】
１  フード    
２  高濃度酸素空気管
３  排気管
４  マッサージ器
５  個人認証装置またはプリペイドカード装置
６  もみ玉
【図１】
2005131148.tif 000003
(57)【要約】【課題】  子供や老人、病人までも、水を使用することなく、短時間で効率的に歯や歯ぐき等に付いた汚れを拭き取ることのできる口中拭き取り式歯磨具を提供することを目的とする。【解決手段】  一端に指先ａが入る開口部３を有する袋体１を備え、この袋体１を、少なくともフッ素添加歯磨剤、お茶エキス、精製水を備えた虫歯予防材４を含浸させた木綿布２にて形成して構成される。【選択図】          図３
2005131167.tif 000002
【特許請求の範囲】
【請求項１】
一端に指先が入る開口部を有する袋体を備え、この袋体を、少なくともフッ素添加歯磨剤、お茶エキス、精製水を備えた虫歯予防材を含浸させた木綿布にて形成したことを特徴とする口中拭き取り式歯磨具。
【発明の詳細な説明】
【技術分野】
【０００１】
本発明は、水がなくとも使用可能な使い勝手の良い、使い捨て口中拭き取り式歯磨具に関する。
【背景技術】
【０００２】
従来、この種の歯磨具としては、例えば文献１に示すように、衛生ふき取り式歯磨きドライシートが知られている。
【０００３】
この歯磨きドライシートは、キシリトール、重曹、硼酸水、お茶のポリフェノール、ワサビ、ペパーミント等を含む体に無害の抗菌・防臭効果のあるシートで、天然の樹脂、紙を使用し、取り出し易いボックス入りやポケットティッシュタイプとする。そして、衛生上、一回毎使い捨てとし、そのまま燃えるゴミに捨てるものである。
【特許文献１】第３０６０１１３号の登録実用新案公報
【発明の開示】
【発明が解決しようとする課題】
【０００４】
しかしながら、文献１に示す歯磨きドライシートでは、多数枚が重ね合せられており、使用する際には上から一枚一枚取り出した後、指先にまるめるなどして口中に入れなければならないため、使い勝手が良くないものであった。また、時には使用中指先の一部が露出するおそれもあり、非衛生的であると共に、口中の全ての歯を短時間で効率良く磨くことはできないものであり、さらに、従来の歯磨材のような十分な歯磨き効果をもたらすものでもなかった。
【０００５】
本発明は、このような従来の技術が有する諸問題を考慮してなされたものであり、大人はもちろん、子供や老人、病人までも、水を使用することなく、短時間で効率的に歯や歯ぐき等に付いた汚れを拭き取ることのできる口中拭き取り式歯磨具を提供することを目的とする。
【課題を解決するための手段】
【０００６】
前記目的を達成するために、本発明の口中拭き取り式歯磨具は、一端に指先が入る開口部を有する袋体を備え、この袋体を、少なくともフッ素添加歯磨剤、お茶エキス、精製水を備えた虫歯予防材を含浸させた木綿布にて形成したことを特徴とする。
【発明の効果】
【０００７】
本発明の口中拭き取り式歯磨具によれば、次のような効果を有する。
（１）あらかじめ指先が入る袋状に形成されているため、体が不自由な病人、老人、赤ちゃん等でも容易に使用でき、従来品と比べて頗る使い勝手が良いと共に、携帯に便利であり、かつ常に衛生的に使用することができる。
【０００８】
（２）袋体の材料として木綿布が使用されているため、使用時の触感が良く、使用後はそのまま生ゴミとして捨てることができる。
【０００９】
（３）木綿布に含浸させる虫歯予防材として、フッ素添加歯磨剤、お茶エキス、精製水を使用して濡れているため、水を使うことなく、歯、義歯、舌、歯ぐき等に押し当てて擦るだけで十分な歯磨き効果が得られる。
【発明を実施するための最良の形態】
【００１０】
以下、本発明を実施するための最良の形態を図面に基づいて詳細に説明する。
図１は本発明の口中拭き取り式歯磨具を示す正面図、図２は同上のＡ−Ａ矢視断面図、図３は同上の使用状態を示す参考斜視図である。
【００１１】
一端に、指先ａが入る開口部３が形成された袋体１を備えている。この袋体１は、２枚の木綿布２、２からなり、既述開口部３が形成されるよう一端を残して周縁全体をシールすることによって形成される。図中２ａはそのシール部を示す。
なお、袋体１の他端は丸められており、差し込まれた指先ａに適応できるようになっている。図中２ｂはその丸め部分を示す。
【００１２】
そして、袋体１を形成する木綿布２には、少なくともフッ素添加歯磨剤、お茶エキス、精製水を備えた虫歯予防材４を含浸させるものである。
【００１３】
フッ素添加歯磨剤としては、歯触予防を目的としてフッ化物を添加したもの、例えば不溶性メタリン酸ナトリウムを基剤として０．７％のフッ化リン酸ナトリウムを配合した歯磨剤が好適である。また、お茶エキスの材料としては、ビタミンＣやビタミンＥ等が含まれる番茶や緑茶が好適である。これらのお茶エキスに含まれるカテキンは殺菌効果があり、虫歯や歯槽膿漏の原因となる種々な口内殺菌、歯垢を付着させ難くするものである。
【００１４】
なお、虫歯予防材４には、前記以外の材料、例えば虫歯予防に効果があると共に、体に無害なキシリトール、重曹、硼酸水、ペパーミント等を混入しても良いものである。
【００１５】
使用に際しては、図３に示したように、袋体１の開口部３から指先ａを差し込み、口中に入れた袋体１先端（丸め部分２ｂ）を歯ｂに押し当てて上下左右に擦るものである。これによって義歯、入れ歯、舌、歯ぐき等に付着した汚れなども水を使わずに摩擦力で落すことができると共に、虫歯予防材の働きによって歯磨きの効能が得られる。
【００１６】
なお、本発明の歯磨具は、袋体１を一個一個、個包装することにより衛生的に保管でき、且つ外出時の携帯にも便利である。そして、使用後はそのまま燃えるゴミとして捨てることができる。
【図面の簡単な説明】
【００１７】
【図１】本発明の口中拭き取り式歯磨具を示す正面図である。
【図２】同上のＡ−Ａ矢視断面図である。
【図３】同上の使用状態を示す参考斜視図である。
【符号の説明】
【００１８】
１  袋体
２  木綿布
３  開口部
４  虫歯予防材
【図１】
2005131167.tif 000003
【図２】
2005131167.tif 000004
【図３】
2005131167.tif 000005
(57)【要約】【課題】従来の毛抜きは毛切れや挟み損ねを起こし、皮膚を挟んでしまうと肌を傷めた。【解決手段】毛抜きの先端を取替え式のゴムで被う。【選択図】図１
2005131344.tif 000002
【特許請求の範囲】
【請求項１】
毛抜きの先端を取り替え式のゴムで被い、ゴムが破損したらゴムを取り替えられるようにした、毛切れや毛の挟み損ねを防ぐことを目的とする毛抜き。
【発明の詳細な説明】
【技術分野】
【０００１】本発明は、むだ毛等を処理する毛抜きに関するものである。
【背景技術】
【０００２】従来の毛抜きは先端が金属であるため毛切れや挟み損ねを起こしていた。先端をゴムで被ったものもあるが、金属で挟み込まれるゴムは破損しやすく、またゴムの取替えができないものであった。【０００３】
【特許文献１】実開平０６−７９４０９
【発明の開示】
【発明が解決しようとする課題】
【０００４】毛抜きの先端が金属であると毛切れや挟み損ねを起こし、皮膚を挟んでしまうと肌を傷めた。また、先端をゴムで被ったものもあるが、ゴムが破損してもゴムの取替えができないものであった。本発明は、これらの課題を解消するためになされたものである。
【課題を解決するための手段】
【０００５】毛抜きの先端を取替え式のゴムで被う。
【発明の効果】
【０００６】毛切れや挟み損ねを防ぎ、効率よくむだ毛処理が行える。また、ゴムが破損してもゴムを取り替えて使用できるため、毛抜き本体を購入する必要がなく安価で済む。
【発明を実施するための最良の形態】
【０００７】毛抜きの先端を取替え式のゴムで被う。ゴムは用途によって一方の先端を被うことも両方の先端を被うこともできる。
【実施例】
【０００８】ゴムを固定し易くするために毛抜き本体にゴム用のくぼみ３を持たせる場合もある。
【図面の簡単な説明】
【図１】本発明の正面図
【図２】本発明の側面図
【図３】本発明の取替え式ゴムの拡大図
【図４】本発明の一実施例の拡大図
【符号の説明】
１  毛抜き本体２  取替え式ゴム３  くぼみ
【図１】
2005131344.tif 000003
【図２】
2005131344.tif 000004
【図３】
2005131344.tif 000005
【図４】
2005131344.tif 000006
(57)【要約】【課題】従来の傘は、撥水を傘布の構造ではなく傘布繊維自体の撥水力に頼っていたため、新しい繊維が開発されない限り撥水力が上がらなかった。【解決手段】傘布表面を突起加工した傘を提供する。【選択図】図１
2005131343.tif 000002
【特許請求の範囲】
【請求項１】
撥水力を高めるため傘布表面に突起加工を施した傘。
【発明の詳細な説明】
【技術分野】
【０００１】本発明は、撥水力を高めるため傘布表面に突起加工を施した傘に関するものである。
【背景技術】
【０００２】従来の傘は撥水を傘布繊維自体の撥水力のみに頼っていた。【０００３】
【特許文献１】実開平６−９５１８
【発明の開示】
【発明が解決しようとする課題】
【０００４】従来の傘は、撥水を傘布の構造ではなく傘布繊維自体の撥水力に頼っていたため、新しい繊維が開発されない限り撥水力が上がらなかった。本発明は、この課題を解消するためになされたものである。
【課題を解決するための手段】
【０００５】傘布表面を突起加工する。
【発明の効果】
【０００６】撥水力の小さい繊維でも傘布に水分が浸透しにくいため、速乾性が上がる。
【図面の簡単な説明】
【図１】本発明の図である。
【符号の説明】
１  傘布突起
【図１】
2005131343.tif 000003
(57)【要約】      （修正有）【課題】鍼灸治療等に役立つ脈拍センサーを提供する。【解決手段】連続した脈拍計測中に施術を加えた瞬間の情報等を表示、または記憶できるようにする。それにより施術に一致した脈の経過が観察できる。パソコンに脈拍計をつなげ、脈拍データを測定しているとする。モニターには刻一刻変化するグラフが表示されている。そしてある施術を加えた時、キーボード、またはマウス等を押すことにより、その時間が表示され記憶される。グラフ上にはその瞬間が分かるようにイラストが入る。【選択図】図２
2005131347.tif 000002
【特許請求の範囲】
【請求項１】
連続して測定した脈拍データに施術等を加えた時間情報をあわせて記録するしくみ。
【請求項２】
連続した脈拍データをグラフ等にして表示する際、施術を加えた時間など、ある瞬間を目印として分かるように文字、イラスト、図形等を表示する。またはグラフの色や形を変えて分かるようにするしくみ。
【請求項３】
脈拍数がある設定した値を越えた時等に文字や画像、音等で警告するしくみ。
【請求項４】
計測した連続した脈拍のグラフを分析して、パターンに分類するしくみ。
【請求項５】
他の治療器具に請求項１から請求項４までのどれかを内蔵した器具。
【請求項６】
下がり調子のときは１オクダーブさがり、上がり調子は上がる等、脈拍の変化によって音等を変えるしくみ。
【請求項７】
同一画面上に脈拍センサーで計測した連続したデータを複数枚グラフで表示して、比較検討等できるようにするしくみ。
【請求項８】
請求項１から請求項７までで、脈拍数に代わり血圧、または体温を計測するしくみ。
【発明の詳細な説明】
【発明の詳細な説明】
【技術分野】
【０００１】鍼灸治療の分野で診断の手がかりになるのは術者の感覚に頼る場合がほとんどである。よって客観的データに乏しい。それを補う為の発明である。
【背景技術】
【０００２】鍼灸治療における診断に脉診（脈診）がある。指の感覚にて術者が計るやり方であった。主観的であり客観的データに乏しく、記録できなかった。また、従来ある脈拍測定器はタイ厶リーではなく血圧計に付属していて一回の計測に時間がかかり刻一刻の変化がわからない。また、スポーツジムにあるエアロバイク等に付属している脈拍センサーは施術を行った時間等を表示しないので、タイ厶リーに脈拍状態を把握できるが鍼灸治療には利用しにくい。
【課題】
【０００３】鍼灸治療等に役立つ脈拍センサーを発明する。
【解決手段】
【０００４】連続した脈拍計測中に施術を加えた瞬間の情報等を表示、または記憶できるようにする。それにより施術に一致した脈の経過が観察できる。
【発明実施の形態】
【０００５】パソコンを利用する場合と既存の治療器等に内蔵して使う場合が考えられる。
【０００６】［第一の実施形態］パソコンに脈拍センサーをつなげた場合。脈拍データ測定しているとする。モニターには刻一刻変化するグラフが表示されている。そして、ある施術を加えた。その時、キーボード、またはマウス等を押す。その時間が表示、記憶される。グラフ上にその瞬間が分かるようにイラスト等が入る。
【０００７】［第二の実施形態］市販の電気治療機などにこの発明を組み込んだ場合。治療を開始して器具の動作に変化があった瞬間に脈拍データと一致した情報が表示、記憶される。
【効果】
鍼灸治療等の刺激は時にオーバードーゼやドーゼ不足がある。脈拍は緊張状態により刻一刻変化する。この発明により施術中にタイ厶リーに脈拍の流れが確認できて治療の適否の判断材料になる。また、連続した測定により比較検討する材料になる。また、脈拍の異常な緊急事態がその場で把握できるため施術の安全面に役立つ。また、この発明で鍼灸と自律神経系との関係等を研究するのに非常に役立つと思われる。
【図面の簡単な説明】
【図１】実験データを基にした実施例。
【図２】治療にこの発明を利用している図
【図１】
2005131347.tif 000003
【図２】
2005131347.tif 000004
(57)【要約】      （修正有）【課題】つぼを「磁気及び振動」によって刺激マッサージする事によって全身の「気の流れ」を調節し本来の理想的状態に戻す事によって「生体バランスを整え生命体として機能レベルを上昇させて健康を回復させ生命力を増進させる生物体磁気調整マッサージ器具を提供する。【解決手段】弾力の強いソフトシリコン（穴明き呼吸する素材）、強力永久磁石、及び段階調節可能な高度バイブレーターから構成される器具を身体のつぼに着ける。【選択図】図１
2005131350.tif 000002
【特許請求の範囲】
【請求項１】
（１）特許を受け様とする発明を特定するために必要と認める事項の全てを記載した項（請求項）に区分して記載。
【請求項１】
古代から経験則によって非常に良く知られた全身の重要な「つぼ」を「磁気及び振動」によって刺激マッサージする事によって全身の「気の流れ」を調節し本来の理想的状態に戻す事によって「生態バランスを整え生命体のレベルを上昇させて健康を回復させ生命力を増進させる事」を目的とした機器に対して特許を請求します。
（２）請求項ごとに行を改め、番号を付して下さい。
（請求項の数が１の場合でも）「請求項１」と記載。叉２以上の場合は「請求項１」「請求項２」の様に連続番号を付す。
【発明の詳細な説明】
「シークマ（シークレットマッサージ幾）」  別紙記載
「技術分野」
生物体磁気流調整マッサージ器具
「背景技術」
磁気及び振動によるつぼ刺激
「発明の開示」発明が開示しようとする課題」「０００３」
古代から経験則によって非常に良く知られた全身の重要な「つぼ」を「磁気及び振動」によって刺激マッサージする事によって全身の「気の流れ」を調節し本来の理想的状態に戻す事によって「生態バランスを整え生命体のレベルを上昇させて健康を回復させ生命力を増進させる事」が出来る。
「課第を解決する為の手段」
弾力の強いソフトシリコン（穴明き呼吸する素材）に強力永久磁石を付け叉重要な「つぼ位置」にはポケットを付けて電気振動刺激も併用出来る様にする。
「発明の効果」
古代から経験則によって非常に良く知られた全身の重要な「つぼ」を「磁気及び振動」によって刺激マッサージする事によって全身の「気の流れ」を調節し本来の理想的状態に戻す事によって「生体バランスを整え生命体として機能レベルを上昇させて健康を回復させ生命力を増進させる事」が出来る。
「発明を実施する為の最良の形態」
弾力の強いソフトシリコン（穴明き呼吸する素材）に強力永久磁石を付け叉要な「つぼ位置」にはポケットを付けてバイブレーターによる電気振動刺激も併用出来る様にする。
「実施例」
鍼灸マッサージ等によって長い間証明された実績があります。
「産業上の利用可能性」
シリコン業界（化学）分野及び「永久磁石作成業界」等に発明と需要を創設
【図面の簡単な説明】弾力の強いソフトシリコン（穴明き呼吸する素材）に強力永久磁石を付け叉重要な「つぼ位置」にはポケットを付けてバイブレーターによる電気振動刺激も併用出来る様にする。
【図１】
2005131350.tif 000003
【図３】
2005131350.tif 000004
【図４】
2005131350.tif 000005
【図５】
2005131350.tif 000006
【図６】
2005131350.tif 000007
【図６】
2005131350.tif 000008
【手続補正書】
【提出日】平成16年2月21日(2004.2.21)
【手続補正２】
【補正対象書類名】特許請求の範囲
【補正対象項目名】全文
【補正方法】変更
【補正の内容】
【特許請求の範囲】
【請求項１】
古代から経験則によって非常に良く知られた全身の重要な「つぼ」を「磁気及び振動」によって刺激マッサージする事によって全身の「気の流れ」を調節し本来の理想的状態に戻す事によって「生態バランスを整え生命体のレベルを上昇させて健康を回復させ生命力を増進させる事」を目的としたシークレットマッサージ機
【手続補正３】
【補正対象書類名】明細書
【補正対象項目名】全文
【補正方法】変更
【補正の内容】
【発明の詳細な説明】
【技術分野】
【０００１】・磁気治療分野
・生物体磁気流調整マッサージ
「背景技術」【０００２】・磁気によるつぼ刺激による健康体回復効果及び生命体レベル上昇効果
・磁気及び振動によるつぼ刺激
「発明の開示」【０００３】・磁気によるつぼ刺激は副作用もなく安全である
・古代から経験則によって非常に良く知られた全身の重要な「つぼ」を「磁気及び振動」によって刺激マッサージする事によって全身の「気の流れ」を調節し本来の理想的状態に戻す事によって「生態バランスを整え生命体のレベルを上昇させて健康を回復させ生命力を増進させる事」が出来る。
「課題を解決する為の手段」【０００４】・データーを積み重ねて正確な効果を高める
・弾力の強いソフトシリコン（穴明き呼吸する素材）に強力永久磁石を付け叉重要な「つぼ位置」にはポケットを付けて電気振動刺激も併用出来る様にする。
「発明の効果」【０００５】・将来の重大な病気を未然に予防する事が出来る為莫大な経済効果が期待出来る。
・古代から経験則によって非常に良く知られた全身の重要な「つぼ」を「磁気及び振動」によって刺激マッサージする事によって全身の「気の流れ」を調節し本来の理想的状態に戻す事によって「生体バランスを整え生命体として機能レベルを上昇させて健康を回復させ生命力を増進させる事」が出来る。
・
「実施例」【０００６】・世界各国で経験的に利用されている・
「発明を実施する為の最良の形態」
弾力の強いソフトシリコン（穴明き呼吸する素材）に強力永久磁石を付け叉重要な「つぼ位置」にはポケットを付けてバイブレーターによる電気振動刺激も併用出来る様にする。
【図面の簡単な説明】
【０００７】
【図１】足首部側面図（青い部分は磁石の装着部です。赤い部分はシリコン部です。）
【図２】膝部側面図（赤い線はシリコンで赤い丸は磁石です。）
【図３】下半身部正面図（赤い線はシリコンで赤い丸は磁石です。）
【図４】腹部正面図（赤い線はシリコンで赤い丸は磁石です。）
【図５】手首部正面図（赤い線はシリコンで赤い丸は磁石です。）
【図６】頭部側面図（赤い線はシリコンで赤い丸は磁石です。）
【図７】胸部正面図（赤い線はシリコンで赤い丸は磁石です。）
【手続補正４】
【補正対象書類名】図面
【補正対象項目名】全図
【補正方法】変更
【補正の内容】
【図１】
2005131350.tif 000009
【図２】
2005131350.tif 000010
【図３】
2005131350.tif 000011
【図４】
2005131350.tif 000012
【図５】
2005131350.tif 000013
【図６】
2005131350.tif 000014
【図７】
2005131350.tif 000015
(57)【要約】【課題】  料理のレシピ指定の調味料の量を、複数の計量スプーンを使わずに一本の杓子で計量できる機能を持たせた目盛線付杓子を提供する。【解決手段】  杓子１の柄２の一端に設けられた椀部３の内側に一個もしくは複数個の円形状の目盛線５を、各目盛線の両端部が椀部３の口縁部４と接するように設けた目盛線付杓子。【選択図】  図１
2005131333.tif 000002
【特許請求の範囲】
【請求項１】
杓子１の柄２の一端に設けられた椀部３の内側に一個もしくは複数個の円形の目盛線５を、各目盛線の両端部が椀部３の口縁部４と接するように設けたことを特徴とする目盛線付杓子。
【発明の詳細な説明】
【技術分野】
【０００１】  本発明は杓子の椀部の内側面に円形の目盛線を設けることによって大小複数の匙を使わずに一本の杓子で適量の調味料の量を掬い取ることが出来る目盛線付杓子に関するものである。
【背景技術】
【０００２】  従来、杓子は汁等の液体や飯類等、加熱された食材を撹き混ぜたり、掬って別の器に移す等、調理に欠くことのできないものであった。
特に、中華料理には中華鍋と同様に重要な用具であったが、適切な分量の各種調味量は大小数種の計量スプーンを利用しなければならなかった。
【発明の開示】
【発明が解決しようとする課題】
【０００３】  そのため、以下にのべるような問題点があった。
常に容量の異なる計量スプーンを用意しておかなければならないため甚だ不便であるばかりでなく、料理の完成までに時間がかかった。
本発明は食材の加工調理のみならず、レシピの指示する各種調味料の量を計る大小様々なスプーンを使わずに一本の杓子で計量できるようにすることによって調理のスピードアップを計り、手際良く美味しい料理を作り上げる目盛線付杓子を提供することを目的とする。
【課題を解決するための手段】
【０００４】  上記目的を達成するため本発明は杓子１の柄２の一端に設けられた椀部３の内側に一個もしくは複数個の円形の目盛線５を、各目盛線の両端部が椀部３の口縁部４と接するように設けたものである。
いわば、計量スプーンを椀部３に接するように描いたことになる。
【発明の効果】
【０００５】  上記のように構成された本発明には次のような効果がある。
従来のように複数の計量スプーンを用意しておいて使い分ける必要はなく、椀部に目盛線を設けたことによって一本の杓子で必要量の調味料を掬い出すことができるので料理のスピードがアップし手際良く美味しく仕上げることができる。
【発明を実施するための最良の形態】
【０００６】  以下、本発明の実施の形態を図面に基ずいて説明する。
図１ａは本発明の第１実施例の平面図、図１ｂは椀部３が楕円形状の本発明の第２実施例図で、図２は本発明の使用状態を示した図である。
図１ａの杓子１の椀部３は円形であって、５Ａ，５Ｂ，５Ｃの目盛線が設けられていて、三通りの量に分けて掬い取ることができるようになっている。
例えば、調味料が５Ａの目盛線内に入る量は２．５ｃｃ，５Ｂの目盛線内に入る量は５ｃｃ（小匙１杯分）、５Ｃの目盛線内に入る量は１５ｃｃ（大匙１杯分）のように設定しておく。
又、図１ｂに示したように、椀部３が楕円形である場合も図１ａの円形と同様に各目盛線によって掬い取る量が設定されており、目盛線を多く設ければ掬い取る調味料の量も、大匙２杯分、小匙２杯分と云うように掬い取ることができる。
上記のように構成された本発明を実際に使用する場合は、図２に示したように杓子の柄２を片方の手８に持ち、容器６に入った調味料７を斜めから掬うように採取するが、この時杓子の角度を素早く加減して所定の目盛線内に掬いとる。
【図面の簡単な説明】
【０００７】
【図１】  本発明の平面図
【図２】  本発明の使用状態を示した図
【符号の説明】
【０００８】  １  杓子
２  柄
３  椀部
４  口縁部
５  目盛線
６  容器
７  調味料
８  手
【図１】
2005131333.tif 000003
【図２】
2005131333.tif 000004
(57)【要約】      （修正有）【課題】対象者の体力に適した内容で、動作方向性ある運動用具の提供。【解決手段】リング外１リング中２リング内３と組重ねたリングを、大中小と３種類備え多くの動作方向性を持たせ、それぞれのリングに６通りの負荷強度を備えていることを特徴とする。【選択図】図１
2005131336.tif 000002
【特許請求の範囲】
【請求項１】
リング外（１）リング中（２）リンナグ内（３）と組重ね、大中小の３種類のリングで成る弾力抵抗運動用具。
【発明の詳細な説明】
【技術分野】
【０００１】  本発明は主に、日常生活の中で動作機能を高めることを目的とした、運動用具に関すものである。
【背景技術】
【０００２】  従来の運動用具には、動作方向性が無く強度調節ができない。
【発明の開示】
【発明の解決するための手段】
【０００３】  本発明の運動用具は、体力に適した内容で動作ができ方向性のある、運動用具の提供を目的とするものである。
【発明を解決しようとする手段】
【０００４】  本発明の運動用具は、弾力抵抗のある素材を使った、帯状のリング外（１）リング中（２）リング内（３）と異なった直径、異なった負荷強度の組重ねたリングを大中小と３種類のリングの構成で、前述の目的を達成せんとするものであるめ。
【発明の効果】
【０００５】  本発明は以上の如く構成され、対象者の体力に適した内容で沢山の運動動作ができ、効果的に活用されるものである。
【発明を実施するための最良の形態】
【０００６】  本発明の実施例は図面で参照しながら説明する、図面は１組の斜視図である、弾力抵抗ある帯状のリング外（１）リング中（２）リング内（３）と異なった直径、異なった負荷強度の組重ねたリングを、大中小と３種類備える、それぞれの組重ねたリングは組合わせで６通りの負荷強度を備えており、対象者の体力に適した内容で目的の動作にはいる、小リングの活用では、両手全部の指を使ってリングを包みつぶす動作で、手の関節周囲の筋肉強化を図る、中リングの活用では、腰掛けて揃えた膝で挟みつぶす動作で大腿内側筋肉強化を図る、大リングの活用では、腰掛けた膝にリングを立てかけ手の平と顎で押しつぶす動作で腹部筋強化を図る、以上一部の動作例を説明したが他にも沢山の動作方向性が得られる。
【産業上の利用可能性】
【０００７】  本発明の運動用具は、機能低下予防に、関節周囲の筋肉強化に、不活動解消に、健康促進に、脳の活性に、血行促進にと地域の高齢者や福祉施設、医療施設等で極めて効率よく効果的に活用されるものである。
【図面の簡単な説明】
【０００８】
【図−１】  図面は斜視図である。
【符号の説明】
［図−１］  （１）リング外    （２）リング中    （３）リング内
【図１】
2005131336.tif 000003
(57)【要約】【課題】  対象者の体力身体に適した内容で、運動動作方向性のある、運動用具の提供を目的としたものである。【解決手段】  外枠（１）にグリップ（２）と跳ね枠（３）前頭部に備えた溝棒（４）と溝板（５）との間に挟んだ、一本のゴムチューブ（７）で対象者の体力身体に適した内容に、調節をすることを特徴とする。【選択図】  図１
2005131337.tif 000002
【特許請求の範囲】
【請求項１】
外枠（１）片側にグリップ（２）を設け、中間から跳ね枠（３）を設けた前頭部の溝棒（４）に軸棒（５）とキックバネ（６）を備え、片側の溝板（９）とで成る伸縮抵抗運動用具。
【発明の詳細な説明】
【技術分野】
【０００１】  本発明は主に日常生活の中で、運動不足を解消することを目的とした、運動用具に関するものである。
【背景技術】
【０００２】  従来の運動用具は、体力に適した内容に加減ができない。
【発明の開示】
【発明が解決しようとする課題】
【０００３】  対象者の体力身体に適した内容に加減ができ、動作方向性ある運動用具の提供を目的とするものである。
【課題を解決するための手段】
【０００４】  本発明の運動用具は、外枠（１）にグリップ（２）と跳ね枠（３）を設け、前頭部に備えた変形半楕円形棒に、鋸刃形に溝を設けた溝棒（４）に、軸棒（５）とキックバネ（６）を備え、バネの抵抗力でゴムチューブ（７）を挟み止める構成で、前述の目的を達成せんとするものである。
【発明の効果】
【０００５】  本発明は以上の如く構成され、対象者の体力身体に適した内容に加減ができ、沢山の動作方向性があり、健常者から衰えた高齢者と広く効果的に活用されるものである。
【発明を実施するための最良の形態】
【０００６】  本発明の実施例は図面で参照しながら説明する、図面は一部断面の斜視図である、外枠（１）にグリップ（２）と跳ね枠（３）を設け、前頭部に備えた変形楕円形棒に鋸刃形に溝を設けた溝棒（４）に軸棒（５）とキックバネ（６）とで整え備える、体調に合わせたゴ厶チューブ（７）を、溝板（９）に設けた仮止め溝（８）で身体に合わせ整え溝棒（５）とで挟み止める、跳ね枠（３）を止め金具（１０）で外枠（１）に掛け止めて固定し動作に移る、ゴムチューブ（７）に引く力が加わると上下の鋸刃溝でさらに安定する、動作では肩幅で両手にグリップ（２）を握り、両腕を水平に伸ばしたままで腕を広げる動作で広背筋強化、肩幅に広げた両足でゴムチューブ（７）を踏み止め、グリップ（２）を握った腕を伸ばしたまま後方に引き上げる動作で上腕裏側強化、前で肘を曲げ上げる動作で上腕表側強化、腰掛けて揃えた両膝やや上にゴムチューブ（７）を巻き左右に膝を広げる動作で大腿外側強化と沢山の動作がある、以上図示の実施例に従って説明したが、形態はこれのみ限定されたものでわない、例えば溝棒（４）が１本のゴムチューブ（７）を挟み支える幅の構成でもよい、また、跳ね枠（３）を除いて直接溝棒（４）を外枠（１）から跳ね上げる構成でもよい、種々なバリエーションをふくむものである。
【産業上の利用可能性】
【０００７】  本発明の運動用具は日常生活の中で、運動不足解消に、生活行動動作機能低下予防に関節周囲の筋肉強化に、健康促進に、と極めて大切な生活機能を効率よく効果的に活用するものである。
【図面の簡単な説明】
【０００８】
【図１】図面は一部断面の斜視図である。
【符号の説明】
【０００９】（１）外枠    （２）グリップ    （３）跳ね枠    （４）溝棒（５）軸棒    （６）キックバネ    （７）ゴムチューブ    （８）仮止め溝（９）溝板    （１０）止め金具
【図１】
2005131337.tif 000003
(57)【要約】【課題】  現在の子供達は、ゲーム機器に熱中することが多く、これに伴って、本来の学業などが疎かになるのではないかと思慮されている。ゲーム機器に替るものとして日本将棋があるが、魅力に欠ける、あるいは入門時に駒に馴じめず識別しずらいものとなっている。【解決手段】  盤の表に、立体的な外堀りや斜面形石垣などを設け、石積図柄、波紋様で識別化する他、遊具駒は馴じみのある忍者駒などを揃えかつ駒の働き方を提示、魅力ある遊具とする。【選択図】  図２
2005131353.tif 000002
【特許請求の範囲】
【請求項１】
対向する形態の遊具盤において、自陣側および敵陣側に立体的城桝、外掘り桝、入城橋桝、石垣桝を備え、両陣内に忍者駒や大筒駒などを対峙形態に配し、ルールにしたがって交互に駒を動かす形態の競技をすることを特徴とする盤と遊具駒。
【請求項２】
外掘り桝は、溝形にしかつ波紋様を付加、石垣桝は、斜面形にしかつ石積図柄を付加、入城橋桝は、斜面形の階段状に設けたことを特徴とする請求項１に記載の盤と遊具駒。
【請求項３】
駒の働き方や敵陣に成り込み後の働き方、あるいは駒名称を盤裏面に提示したことを特徴とする請求項１または２に記載の盤と遊具駒。
【発明の詳細な説明】
【技術分野】
【０００１】  本発明は、立体的桝を有する盤に武士名を付した多数の駒を対峙形態に配し、日本将棋のように競技する盤と遊具駒に関する。
【背景技術】
【０００２】  現在の子供達は、テレビゲームや小型のゲー厶器に熱中し、この積み重ねによって、本来あるべき学業や創造力などが疎かになるのではないかと心配されており、その一要素として、思考能力の低下があげられている。【０００３】  この状況を改善するには、日本古来より発展してきた日本将棋を推奨することが考えられるが、これが有効であると認識されているにもかかわらず、子供達には習い始めに駒に馴じめず、識別困難あるいは魅力に欠けるなどにより、普及しずらいものとなっている。【０００４】  これらの改善文献として、次の文献がある。
【特許文献１】  特開２０００−３２５５２９号公報
【特許文献２】  特開２００１−２９９９８８号公報
【特許文献３】  特開昭５６−１３６５７９
【発明の開示】
【発明が解決しようとする課題】
【０００５】  解決しようとする問題点は、前記背景技術に示したように、日本将棋形態の場合、魅力に欠ける、あるいは駒に馴じめず識別しずらいことが課題となる。
【課題を解決するための手段】
【０００６】  前記課題に着目し、盤の表に、立体的な外掘りや斜面形石垣などを設ける他、石積図柄、波紋様を設け、遊具駒は馴じみのある忍者駒などを揃えたことを主要な特徴とする。
【発明の効果】
【０００７】  本発明の請求項１に係るものによれば、本発明は日本将棋に近い駒であるが、盤には外掘り桝や石垣桝を備え、これら形状に適合した忍者駒などを移動させるものであるから、子供達は忍者などに興味をもつことに係り、魅力あるものに結びつく。【０００８】  更に、大筒駒の弾丸発砲など、駒に特定の働きを付与したものであるから、攻守の駒編成に思考的付加価値が増加し、したがって興味や魅力も深まる。【０００９】  本発明の請求項２によれば、波紋様や石垣図柄、更に立体的形状とあいまって、識別しやすいものである。【００１０】  本発明の請求項３によれば、盤の底面に移動範囲や駒名称を掲示する他、識別しやすい駒としたので、立体的盤とあいまって、識別しやすいものである。【００１１】  以上の効果を有することから、本発明の盤と遊具駒を用いたゲームを続ける場合においては、小型ゲーム器の遊びが減少、思考能力も回復し、ひいては学業の向上や創造力などが醸成される。
【発明を実施するための最良の形態】
【００１２】  日本古来の日本将棋は、高度に洗練され、技量も蓄積され思考的付加価値の高い優秀なゲームの一つであるが、子供達が（１）識別の困難性や、（２）初期の魅力性に欠ける課題があり、この改善を目的に、次に示す盤と遊具駒の形態にした。【００１３】  （１）  盤表側を立体的形状にすると共に図柄などを付加、更に大筒駒など、馴じめる駒を備えるものとした。【００１４】  （２）  駒の働きや、敵陣に成り込み後の働き方、あるいは駒の呼び名を盤底面に提示した。
【実施例】
【００１５】  本発明の実施例を、図を用い請求項順に説明する。【００１６】  請求項１は、図１に示すように、自陣側Ｅおよび敵陣側Ｆに立体的城主桝Ｇ、外掘り桝３、入城橋桝５、石垣桝４を備え、図２に示すように、忍者駒Ｄや大筒駒Ｃなどを対峙形態に配し、ルールにしたがって交互に駒を動かし相手の城主駒Ｂを捕獲することを勝負とするゲームとした。【００１７】  盤と駒は、木材、あるいは木材より強度の高いプラスチックが適切である。【００１８】  駒は図２に示すように、武士名を付す駒の他、大筒駒を備えるものとした。【００１９】  請求項２は、図１の外掘り桝３に示すように、桝内表面に波紋様１を付加、石垣桝４は、図３のＹ−Ｙ横断面図に示すように斜面形を成し、かつ石積図柄２を付加、入城橋桝５は、図３のＤ−Ｄ断面図に示すように斜面形の階段状にするなど、桝を識別化した。【００２０】  請求項３は、図４に実施の一例を示すように、駒の働き方や敵陣に成り込み後の働きを、あるいは駒名称を盤裏面に掲示し、識別化を向上さすと共に理解の早期化をはかるものとした。
【産業上の利用可能性】
【００２１】  この発明は、日本将棋のように思考を基調としたゲームであることから、テレビゲー厶などを続けるものと異り、学力や創造力の向上に資するものとなる。【００２２】  すなわち、本発明の盤と遊具駒を用いたゲームを続けることによって、思考力などが向上、本来めざすべき学力や創造力の向上に結びつく。よって産業上の利用の可能性は、子供達は無論のこと、青年にも大人にも適用できる。
【図面の簡単な説明】
【００２３】
【図１】  実施例の盤を示す平面図。
【図２】  実施例の盤と駒のゲーム法を示した説明図で、ゲーム開始前の駒が対峙した形態の平面図。
【図３】  実施例の盤の形状を示した正面図、右側面図、横断面図。
【図４】  実施例の盤の裏面に駒の働き方を図形で掲示した一例の平面図。
【符号の説明】
【００２４】  Ａ  盤
Ｅ  自陣側
Ｆ  敵陣側
１  波紋様
２  石積図柄
３  外掘り桝
４  石垣桝
５  入城橋桝
【図１】
2005131353.tif 000003
【図２】
2005131353.tif 000004
【図３】
2005131353.tif 000005
【図４】
2005131353.tif 000006